(57)【特許請求の範囲】
【請求項１】
コンクリート製布基礎上に載置されるコンクリート製壁体パネル相互を横方向に相並べて壁体が構成され、該布基礎の天端と該壁体パネルとの隙間に土間コンクリートの打設コンクリートが充填されて該土間コンクリートとともに一体構造を得る建物構造において、
前記布基礎部には上部にねじ部を有するアンカーボルトが所定間隔をもって植設され、
前記壁体パネルの下辺部の両端部には、前記基礎部のアンカーボルトを遊嵌する調整孔を有する埋込み金具を介して該アンカーボルトを受け入れる凹部が内側に向けて形成され、
前記壁体パネルの下辺部の内側には、所定間隔をもって前記凹部に相並んで、根本部にねじを有するとともに前記土間コンクリートに埋設される水平アンカー筋用のアンカー用インサートが埋め込まれ、かつ、該アンカー用インサートに水平アンカー筋が取り付けられ、
前記アンカーボルトのねじ部には前記壁体パネル下辺部の凹部の埋込み金具を上下から挟着する上部及び下部ナットが螺装されてなる、
ことを特徴とする壁体パネルの定着構造。
【請求項２】
コンクリート製布基礎上にコンクリート製壁体パネル相互を横方向に相並べて壁体を構成し、該布基礎の天端と該壁体パネルとの隙間に土間コンクリートの打設コンクリートが充填されて該土間コンクリートとともに一体構造を得る建物の構築方法であって、
前記布基礎に所定間隔をもって植設された上部にねじ部を有するアンカーボルトに、
その下辺部の両端部の内側に前記布基礎のアンカーボルトを遊嵌する調整孔を有する埋込み金具を介して該アンカーボルトを受け入れる凹部が形成されるとともに、
所定間隔をもって前記凹部に相並んで、根本部にねじを有する水平アンカー筋用のアンカー用インサートが埋め込まれた壁体パネルを建て込み、
前記アンカーボルトに螺装され、前記凹部の埋込み金具を上下から挟着する上部及び下部ナットをもって前記壁体パネルの水準をなすとともに、前記アンカー用インサートに水平アンカー筋を取り付け、
しかる後、前記凹部の上位に達するとともに前記アンカー用インサートに装着された水平アンカー筋を埋殺し状に土間コンクリートを打設する、
ことを特徴とする壁体パネルの定着方法。
【発明の詳細な説明】
【０００１】
【発明の属する技術分野】
この発明はコンクリート製壁体パネルにより壁体が構成されてなるいわゆるパネル建物構造に関し、更に詳しくは、当該壁体パネルの基礎部との定着構造並びにその定着方法に関する。
【０００２】
【従来の技術】
壁体パネルを横方向に連接して壁体を構成する建物構造において、壁体パネルの基礎部への設置に際し、その水準を精確になす必要がある。
従来においては、基礎部の天端と壁体パネルとの間に複数の座板を介装させる手段が採られている。
しかしながら、この従来手段によって、壁体パネルの水準が段階状に変化し、連続的に調整することが困難である。また、該壁体パネルの基礎部への定着はアンカーボルト以外には格別の配慮が払われておらず、強度的にも問題がある。
【０００３】
【発明が解決しようとする課題】
本発明は簡単な構造で壁体パネルの水準を精確になし得る壁体パネルの定着構造を得ることを目的とする。
更には、壁体パネルを基礎部に強固に定着することのできる壁体パネルの定着構造を得ることも他の目的とする。
本発明はこのため、壁体パネルと基礎部の天端とを一定以上の間隔を保持することに着想を得てなされたものである。
【０００４】
【課題を解決するための手段】
本発明の壁体パネルの定着構造は具体的には次の構成を採る。
コンクリート製布基礎上に載置されるコンクリート製壁体パネル相互を横方向に相並べて壁体が構成され、該布基礎の天端と該壁体パネルとの隙間に土間コンクリートの打設コンクリートが充填されて該土間コンクリートとともに一体構造を得る建物構造において、前記布基礎部には上部にねじ部を有するアンカーボルトが所定間隔をもって植設され、前記壁体パネルの下辺部の両端部には、前記基礎部のアンカーボルトを遊嵌する調整孔を有する埋込み金具を介して該アンカーボルトを受け入れる凹部が内側に向けて形成され、前記壁体パネルの下辺部の内側には、所定間隔をもって前記凹部に相並んで、根本部にねじを有するとともに前記土間コンクリートに埋設される水平アンカー筋用のアンカー用インサートが埋め込まれ、かつ、該アンカー用インサートに水平アンカー筋が取り付けられ、前記アンカーボルトのねじ部には前記壁体パネル下辺部の凹部の埋込み金具を上下から挟着する上部及び下部ナットが螺装されてなることを特徴とする。
コンクリート製布基礎上にコンクリート製壁体パネル相互を横方向に相並べて壁体を構成し、該布基礎の天端と該壁体パネルとの隙間に土間コンクリートの打設コンクリートが充填されて該土間コンクリートとともに一体構造を得る建物の構築方法であって、前記布基礎に所定間隔をもって植設された上部にねじ部を有するアンカーボルトに、その下辺部の両端部の内側に前記布基礎のアンカーボルトを遊嵌する調整孔を有する埋込み金具を介して該アンカーボルトを受け入れる凹部が形成されるとともに、所定間隔をもって前記凹部に相並んで、根本部にねじを有する水平アンカー筋用のアンカー用インサートが埋め込まれた壁体パネルを建て込み、前記アンカーボルトに螺装され、前記凹部の埋込み金具を上下から挟着する上部及び下部ナットをもって前記壁体パネルの水準をなすとともに、前記アンカー用インサートに水平アンカー筋を取り付け、しかる後、前記凹部の上位に達するとともに前記アンカー用インサートに装着された水平アンカー筋を埋殺し状に土間コンクリートを打設することを特徴とする。
【０００５】
（作用）
壁体パネルの基礎部への設置において、アンカーボルトに下部ナットが螺合され、しかる後、壁体パネルが建て込まれ、該下部ナットで支持する。この状態で上部ナットを螺合し、上部及び下部ナットの締込みにより水準をなす。
また、水平アンカー筋を壁体パネルの下端に取り付け、下部凹部並びに水平アンカー筋を埋殺し状態に土間コンクリートを打設する。
壁体パネルは基礎部の天端から十分な高さのすき間をもって設置され、土間コンクリートはこの隙間にも充填され、かつ、水平アンカー筋との結合により、壁体パネルは基礎部との一体化がなされる。
【０００６】
【発明の実施の形態】
本発明のコンクリート製壁体パネルによる建物構造におけるパネルの定着構造の実施の形態を図面に基づいて説明する。
図１〜図１１はその一実施形態のパネル建物構造を示し、平屋建て建物への適用を示す。すなわち、図１はその全体構成を示し、図２〜図１１はその部分構成を示す。
【０００７】
図１はこの平屋建て建物の分解構成を示す。
図１において、Ｂは基礎部であってアンカー部材が植設されて立設され、Ｐは壁体パネルであって基礎部Ｂのアンカー部材に固定され、Ｋは屋根枠であって壁体パネルＰの上部に剛接され、Ｒは屋根材であって屋根枠Ｋに載置固定される。
【０００８】
以下、各部の細部構造を説明する。
基礎部Ｂ（図２参照）
基礎部Ｂは鉄筋コンクリート製よりなり、いわゆる布基礎構造をなし、その本体には上方に突出するアンカーボルト１が植設される。
この基礎部Ｂは、表土を剥がれた地盤Ｅ上に割り栗石１００を敷き固め、更にその上に捨てコンクリート１０２を打設し、この基礎部Ｂの本体が構築されるものであるが、これは通常の施工態様である。
アンカーボルト１は、ボルト杆部１ａとねじ部１ｂとからなり、該杆部１ａを基礎本体内に埋設され、上部のねじ部１ｂは基礎部Ｂの上面より突出する。なお、該アンカーボルト１のねじ部１ａを必須とし、ボルト杆１ａの形態は自由である。
【０００９】
壁体パネルＰ（図３〜図１１参照）
壁体パネルＰは、全体として、一定厚さを有し所定の剛性を保持する矩形平板状をなし、鉄筋コンクリート製をもって形成される。このため、躯体部は、縦筋２、横筋３による鉄筋網（メッシュ）４を内部に配し、かつ、補強筋（図示せず）を適宜に配し、これらをコンクリート５をもって一体的に包み込んで形成される。
また、図３に示されるように、該壁体パネルＰの内側の下辺部には、両側端近傍に２つの下部凹部６が凹設され、また、該下部凹部６に並んで内側面に向けて開口する複数のアンカー用インサート７が配される。該下部凹部６は基礎部のアンカーボルト１を受け入れ、アンカー用インサート７は水平アンカー筋８（図８参照）を受け入れる。更に、該壁体パネルＰの上辺部には頭継ぎ部９が設置され、一方の側辺部には横継ぎ用の側部凹部１０が、また、他方の側辺部には側部凹部１０に対応して横継ぎ用のインサート１１が設置される。
【００１０】
（下部凹部６）
下部凹部６は壁体パネルＰの内側の下辺部に複数箇所（本実施形態では２か所）にわたって形成され、埋込み金具１３を介して、基礎部Ｂとの定着に供せられる。
（埋込み金具１３）（図４、図５参照）
埋込み金具１３は、図４・図５に示されるように、所定幅と厚さを有する底板１４と、該底板１４の上面に３方を囲む壁板１５と、両側の壁板１５の外側面に固設されるとともに上方に延設されるアンカー材１６と、からなる。底板１４には中央に大径の調整孔１７が開設され、アンカーボルト１を遊嵌する。
しかして、該埋込み金具１３はその底板１４を壁体パネルＰの下面と面一にして、下部凹部６の下底に露出して配され、壁板１５及びアンカー材１６はコンクリート躯体中に埋設される。
【００１１】
（アンカー用インサート７・水平アンカー筋８）
アンカー用インサート７は、壁体パネルＰの下端の内側に複数箇所（本実施形態では３か所）にわたって設置され、水平アンカー筋８を受け入れる。図８はその詳細を示し、円筒部の内周面にはねじ７ａが螺設され、その基部７ｂは躯体のコンクリートとの定着を図る。水平アンカー筋８は、その根本部８ａはねじに形成され、該ねじ部８ａをアンカー用インサート７のねじ孔７ａに螺入して固定される。
【００１２】
図６〜図８において、基礎部Ｂの上面に突出するアンカーボルト１のねじ部１ｂに下部ナット２０及び下部ワッシャ２１が装着され、パネルＰの下部凹部８の埋込み金具１３の調整孔１７に嵌挿され、更に上部ワッシャ２２及び上部ナット２３が装着される。
【００１３】
（頭継ぎ部９）（図９、図１０参照）
頭継ぎ部９は、壁体パネルＰの上辺部に設けられ、ねじ筒２５と、該ねじ筒２５を壁体パネルＰの本体に定着するアンカー材２６と、ねじ筒２５に螺合する取付けボルト２７と、該ボルト２７により壁体パネルＰの頭部に固定される頭継ぎ材２８と、からなる。２９はワッシャである。
もっと詳しくは、ねじ筒２５は下辺部の下部凹部８の対応位置に設けられ、その上縁は壁体パネルＰの本体の上面に面一となる。なお、ねじ筒２５には、取付けボルト２７に替えて、壁体パネルＰの吊り込み作業に使用される吊りボルト（図示せず）が螺装される。
しかして、この頭継ぎ部９の頭継ぎ材２８上にチャンネル材よりなる屋根枠Ｋが直接的に溶接等の手段をもって固設される。
【００１４】
（横継ぎ構造）（図１１参照）
壁体パネルＰの側辺部に配される側部凹部１０とインサート１１とは相隣り合って継ぎ手構造を形成する。すなわち、側部凹部１０には下部凹部６に準じる埋込み金具３１が固設され、そのボルト挿通孔を介してインサート１１のねじ孔１１ａにボルト３２が螺装され、該ボルト３２を締め込んで相隣れるパネルＰ相互の固定をなす。
【００１５】
叙上の構成よりなる壁体パネルＰによる建物の構築について述べる。
以下、施工手順に従って説明する。
【００１６】
(1) 基礎部Ｂが構築され、アンカーボルト１は所定の間隔で設置される。
この基礎部Ｂのアンカーボルト１のねじ部１ｂに下部ナット２０及び下部ワッシャ２１が装着される。
【００１７】
(2) 壁体パネルＰの上辺部の頭継ぎ部９のねじ筒２５に吊りボルトが螺装され、該吊りボルトを介してクレーン装置（図示せず）をもって該壁体パネルＰを吊り上げ、その下辺部を基礎部Ｂに建て込む。
すなわち、埋込み金具１３の調整孔１７にアンカーボルト１を挿通し、埋込み金具１３が下部ナット２０・ワッシャ２１に当接された状態で上部ワッシャ２２及び上部ナット２３を装着する。
【００１８】
(3) しかる後、壁体パネルＰの位置調整がなされる。
すなわち、壁体パネルＰの横方向のずれは調整孔１７とアンカーボルト１との隙間で吸収され、壁体パネルＰの水準は下部ナット２０と上部ナット２３との上下動で吸収される。
【００１９】
(4) 先に設置された壁体パネルＰに隣接して、前記(2)(3)の工程と同様の手順で、壁体パネルＰを設置する。これらの隣接する壁体パネルＰ相互を横継ぎ構造をもって接合する。
【００２０】
(5) 横方向に相並べられた壁体パネルＰの上部を屋根枠Ｋをもって固定し、必要に応じて屋根Ｒを設置する。
【００２１】
(6) 壁体パネルＰの設置が安定した状態で、土間コンクリートＣの打設が行われる。すなわち、これに先立ち、水平アンカー筋８が壁体パネルＰに取り付けられる。しかる後、土間コンクリートＣの型枠工が施され、土間コンクリートＣを壁体パネルＰと基礎部Ｂの天端との間に十分に行き渡るように打設し、かつ、下部凹部６、水平アンカー筋８を埋殺す状態まで打設する（図１２参照）。
【００２２】
本実施形態の定着構造によれば、壁体パネルＰはアンカーボルト１に螺装された下部ナット２０により基礎部Ｂの天端より十分な高さをもって支持されるとともに、該高さを自在に調整できる。これにより、精確な水準をなすことができ、壁体パネルＰと基礎部Ｂの天端との間の隙間を十分大きく確保できる。
また、埋込み金具１３の調整孔１７はアンカーボルト１との間で十分に空隙を存するので、壁体パネルＰの横ずれが吸収でき、建込み作業が容易に行われる。  打設された土間コンクリートＣは壁体パネルＰと基礎部Ｂの天端との間の隙間に充填され、該土間コンクリートＣの固結に伴い、壁体パネルＰを支持するとともに、かつ、水平アンカー筋８との結合により、壁体パネルＰと基礎部Ｂとの強固な一体化がなされる。
【００２３】
本発明は上記実施の形態に限定されるものではなく、本発明の基本的技術思想の範囲内で種々設計変更が可能である。
【００２４】
【発明の効果】
本発明の壁体パネルの定着構造によれば、壁体パネルはアンカーボルトに螺装された下部ナットにより基礎部の天端より十分な高さをもって支持されるとともに、該高さを自在に調整でき、精確な水準をなすことができ、壁体パネルと基礎部の天端との間の隙間を十分大きく確保できる。
また、打設された土間コンクリートは壁体パネルと基礎部の天端との間の隙間に充填され、該土間コンクリートの固結に伴い、壁体パネルを支持するとともに、かつ、水平アンカー筋との結合により、壁体パネルと基礎部との強固な一体化がなされる。
【図面の簡単な説明】
【図１】本発明のパネル建物構造の一実施形態の分解構成図。
【図２】基礎部の断面図。
【図３】パネルの全体構成図。
【図４】埋込み金具の正面図。
【図５】埋込み金具の平面図。
【図６】図３のＩ部拡大図（図７のVI方向矢視図）。
【図７】図６のVII-VII 線断面図。
【図８】図７のVIII-VIII 線断面図。
【図９】頭継ぎ部の断面図。
【図１０】図９のＸ方向矢視図。
【図１１】横継ぎ部の一部断面側面図。
【図１２】定着構造の施工態様断面図。
【符号の説明】
Ｐ…コンクリート製壁体パネル、Ｂ…基礎部、Ｋ…屋根枠、Ｃ…土間コンクリート、１…アンカーボルト、６…下部凹部、７…アンカー用インサート、８…水平アンカー筋、１３…埋込み金具、１７…調整孔、２０…下部ナット、２３…上部ナット
【図１】
0003544436.tif 000002
【図２】
0003544436.tif 000003
【図３】
0003544436.tif 000004
【図４】
0003544436.tif 000005
【図５】
0003544436.tif 000006
【図６】
0003544436.tif 000007
【図７】
0003544436.tif 000008
【図８】
0003544436.tif 000009
【図９】
0003544436.tif 000010
【図１０】
0003544436.tif 000011
【図１１】
0003544436.tif 000012
【図１２】
0003544436.tif 000013